(57)【要約】      （修正有）【課題】立体感があり、デザイン性に優れた表示装置を提供する。【解決手段】指針駆動部は、指針１０を回動させる。表示板は、指針１０に指示される指標部４１を有する。表示板は、外側傾斜部４０ｈ及び内側傾斜部４０ｆを有する環状突出部４０ｅを備える。表示板は、周方向に明度が徐々に変わる陰影模様を外側傾斜部４０ｈに有する。表示板は、外側傾斜部４０ｈの陰影模様とは反対の周方向に明度が徐々に変わる陰影模様を内側傾斜部４０ｆに有する。陰影模様は、多数の基本色ドットによって表示されている。基本色ドットは、Ｃ（シアン），Ｍ（マゼンタ），Ｙ（イエロー）のドットを含む。【選択図】図４
2016200408.tif 000002
【特許請求の範囲】
【請求項１】
指針と、前記指針を回動させる指針駆動部と、前記指針に指示される指標部を有する表示板と、を備えた表示装置であって、
前記表示板は、周方向に明度が徐々に変わる陰影模様が施された環状の傾斜部を有することを特徴とする表示装置。
【請求項２】
指針と、前記指針を回動させる指針駆動部と、前記指針に指示される指標部を有する表示板と、を備えた表示装置であって、
前記表示板は、外側傾斜部及び内側傾斜部を有する環状突出部を備えると共に、
前記環状突出部の少なくとも一部には、前記外側傾斜部と前記内側傾斜部とで明度が異なる陰影模様が前記外側傾斜部及び前記内側傾斜部に施されていることを特徴とする表示装置。
【請求項３】
指針と、前記指針を回動させる指針駆動部と、前記指針に指示される指標部を有する表示板と、を備えた表示装置であって、
前記表示板は、外側傾斜部及び内側傾斜部を有する環状突出部を備えると共に、
前記表示板は、周方向に明度が徐々に変わる陰影模様を前記外側傾斜部に有し、前記外側傾斜部の陰影模様とは反対の周方向に明度が徐々に変わる陰影模様を前記内側傾斜部に有することを特徴とする表示装置。
【請求項４】
前記陰影模様は、多数の基本色ドットによって表示されていることを特徴とする請求項１乃至３の何れかに記載の表示装置。
【請求項５】
前記基本色ドットは、Ｃ（シアン），Ｍ（マゼンタ），Ｙ（イエロー），Ｋ（ブラック）のドットを含むことを特徴とする請求項４に記載の表示装置。
【発明の詳細な説明】
【技術分野】
【０００１】
本発明は、立体的な表示板を備えた表示装置に関するものである。
【背景技術】
【０００２】
従来より、絞り加工によって環状突出部が形成された表示板が種々提案されており、例えば特許文献１に開示されている。斯かる表示板は、指針に指示される指標部を囲むように形成された環状突出部を有しており、立体感があるものになっている。表示板の環状突出部は、メタリック層によって着色されている。
【先行技術文献】
【特許文献】
【０００３】
【特許文献１】特開２００７−２３２７３９号公報
【発明の概要】
【発明が解決しようとする課題】
【０００４】
しかしながら、上述した表示板は、環状突出部が一様な色調であり、デザイン性に乏しいため、更に立体感があり、デザイン性に優れた表示装置が望まれている。
本発明は、この問題に鑑みなされたものであり、立体感があり、デザイン性に優れた表示装置を提供するものである。
【課題を解決するための手段】
【０００５】
本発明は、指針１０と、前記指針１０を回動させる指針駆動部２２と、前記指針１０に指示される指標部４１を有する表示板４０と、を備えた表示装置であって、前記表示板４０は、周方向に明度が徐々に変わる陰影模様が施された環状の傾斜部４０ｃ，４０ｆ，４０ｈを有するものである。
【０００６】
また、本発明は、指針１０と、前記指針１０を回動させる指針駆動部２２と、前記指針１０に指示される指標部４１を有する表示板４０と、を備えた表示装置であって、前記表示板４０は、外側傾斜部４０ｈ及び内側傾斜部４０ｆを有する環状突出部４１ｅを備えると共に、前記環状突出部４０ｅの少なくとも一部には、前記外側傾斜部４０ｈと前記内側傾斜部４０ｆとで明度が異なる陰影模様が前記外側傾斜部４０ｈ及び前記内側傾斜部４０ｆに施されているものである。
【０００７】
また、本発明は、指針１０と、前記指針１０を回動させる指針駆動部２２と、前記指針１０に指示される指標部４１を有する表示板４０と、を備えた表示装置であって、前記表示板４０は、外側傾斜部４０ｈ及び内側傾斜部４０ｆを有する環状突出部４０ｅを備えると共に、前記表示板４０は、周方向に明度が徐々に変わる陰影模様を前記外側傾斜部４０ｈに有し、前記外側傾斜部４０ｈの陰影模様とは反対の周方向に明度が徐々に変わる陰影模様を前記内側傾斜部４０ｆに有するものである。
【０００８】
また、本発明は、前記陰影模様は、多数の基本色ドットによって表示されているものである。
【０００９】
また、本発明は、前記基本色ドットは、Ｃ（シアン），Ｍ（マゼンタ），Ｙ（イエロー）のドットを含むものである。
【発明の効果】
【００１０】
表示板の傾斜部に陰影模様を施したことにより、表示板に立体感があり、デザイン性に優れたものになる。
【図面の簡単な説明】
【００１１】
【図１】本発明の実施形態を示す断面図。
【図２】同上実施形態を示す正面図。
【図３】同上実施形態を示す要部断面図。
【図４】同上実施形態を示す拡大正面図。
【図５】同上実施形態を示す要部拡大断面図。
【図６】同上実施形態を示す要部拡大断面図。
【図７】同上実施形態を示す環状突出部の模式図。
【図８】他の実施形態を示す断面図。
【発明を実施するための形態】
【００１２】
以下、添付図面に基づいて、本発明の一実施形態を説明する。車両用表示装置は、指針１０と、回路基板２０と、ケース体３０と、表示板４０と、液晶表示器５０と、後面カバー６０と、を備えている。
【００１３】
指針１０は、透光性樹脂からなる指示部１１と、不透明な樹脂からなる指針キャップ１２と、回動軸２２ａが圧入されるボス部１３と、指示部１１を載置する指針座１４とを有しており、後述する指標部４１を指示部１１にて指示する。回路基板２０は、基板本体２１と、基板本体２１の後面側に実装された指針駆動部２２と、基板本体２１の表面側に実装された発光素子２４，２５と、を備えており、表示板４０の後側に配置されている。
【００１４】
基板本体２１は、平板状のガラスエポキシ系基材に、指針駆動部２２を駆動させる駆動回路、発光素子２４，２５を発光させる発光回路等を形成した硬質プリント基板からなる。駆動回路及び発光回路は、夫々、配線パターン，抵抗，コンデンサ等によって構成される。駆動回路は、制御部から供給される制御信号に基づいて、指針駆動部２２を駆動する。発光回路は、制御部から供給される制御信号に基づいて、発光素子２４，２５を発光させる。
【００１５】
指針駆動部２２は、可動磁石式駆動装置，ステッピングモータ等からなるものである。指針駆動部２２の回動軸２２ａは、基板本体２１に形成された貫通孔２１ａに挿入され、指針駆動部２２の回動軸２２ａには、指針１０が取り付けられる。指針１０のボス部１３は、表示板４０に形成された貫通孔４０ａに挿入される。表示板４０の貫通孔４０ａは、指針駆動部２２の回動軸２２ａに対応する個所に形成されており、正面視で円形状になっている。
【００１６】
基板本体２１の駆動回路は、制御部から供給される制御信号に基づいて、指針駆動部２２を駆動して、指針１０は、制御信号に応じた回転角度で回動軸２２ａを回転させる。これによって、指針１０が車両速度に応じた所定の回転角度で回転し、指針１０の指示部１１が後述する指標部４１を指示する。
【００１７】
発光素子２４，２５は、夫々、１個以上の発光ダイオード等によって構成される。発光素子２４は、表示板４０を透過照明する。発光素子２５は、指針１０の指示部１１を光輝させる。発光素子２４，２５は、制御部から供給される制御信号に基づいて駆動され、車両運転者によって操作されるイルミネーションスイッチ等に応じてオン／オフされる。
【００１８】
ケース体３０は白色の合成樹脂（例えば、ポリプロピレン）からなり、このケース体３０に回路基板２０が固定されている。ケース体３０は、垂直部３１，傾斜部３２，平行部３３，傾斜部３４，垂直部３５を有している。ケース体３０の垂直部３１は、円筒形状になっており、前端が表示板４０の後面に当接し、後端が回路基板２０の前面に当接している。ケース体３０の垂直部３１は、発光素子２４が発する照明光と、発光素子２５が発する照明光とが混合されることを防ぐ遮光壁になっている。
【００１９】
ケース体３０の傾斜部３２は、垂直部３１の外周面から逆円錐状に広がる形状になっている。ケース体３０の傾斜部３２は、発光素子２４が発した照明光を平行部３３，傾斜部３４に向けて反射させる。ケース体３０の平行部３３は、表示板４０と平行な平板形状になっている。ケース体３０の傾斜部３４は、逆円錐状になっており、平行部３３の外周端に連なっている。ケース体３０の傾斜部３４は、発光素子２４が発した照明光を表示板４０に向けて反射させる。ケース体３０の垂直部３５は、円筒形状になっており、後端が回路基板２０の前面に当接している。ケース体３０の垂直部３５は、傾斜部３４の外周端に連なっている。ケース体３０の垂直部３５は、前端が表示板４０の後面に当接し、後端が回路基板２０の前面に当接している。
【００２０】
表示板４０は、立体的に絞り加工されており、指標部４１を囲むように形成された環状突出部４０ｅと、指標部４１よりも内側（即ち、指標部４１よりも貫通孔４０ａ側）に形成された傾斜部４０ｃと、を有している。表示板４０の突出部４０ｅと傾斜部４０ｃの間は、平面部４０ｄになっている。表示板４０の傾斜部４０ｃと貫通孔４０ａの間は、平面部４０ｂになっている。表示板４０の平面部４０ｂ，４０ｄは、回路基板２０の基板本体２１と平行になっている。表示板４０の傾斜部４０ｃは逆円錐状になっており、表示板４０の平面部４０ｂは、平面部４０ｄよりも回路基板２０に近くなっている。表示板４０の平面部４０ｂ，４０ｄには、意匠層４７にて柄模様が施されている。
【００２１】
表示板４０は、透光性シートからなる基材４４の前面に、白色層４５，意匠層４７，黒色層４８，オーバーコート層４９を順次、スクリーン印刷にて形成したものである。白色層４５は、基材４４の全域に形成されている。意匠層４７は、白色層４５上に形成された多数の微細な基本色ドッドからなるものであり、前記基本色ドットは、Ｃ（シアン），Ｍ（マゼンタ），Ｙ（イエロー），Ｋ（ブラック）の４色のドットを有している。黒色層４８には開口４８ａが形成されており、この開口４８ａが指標部４１になっている。
【００２２】
表示板４０の指標部４１には、白色層４５，オーバーコート層４９が順次形成されている。指標部４１の周囲には、黒色層４８が形成されている。表示板４０の中央には、液晶表示器５０の画像を視認する矩形の窓部４０ｚが形成されている。液晶表示器５０は、２個の指針式計器（速度計及び回転計）の間に配置されている。液晶表示器５０には、積算走行距離等の車両情報が表示される。
【００２３】
次に、表示板４０について更に詳述する。表示板４０は、目盛り部４１ａと数字部４１ｂとからなる指標部４１を有している。表示板４０の指標部４１は、貫通孔４０ａを中心とした円弧状に配置されており、発光素子２４が発した照明光によって透過照明される。
【００２４】
表示板４０の傾斜部４０ｃには、意匠層４７にて陰影模様が施されている。傾斜部４０ｃの陰影模様は、周方向に明度が徐々に変わるグラデーションになっている。傾斜部４０ｃの陰影模様は、斜め上方から表示板４０に光Ｌが照射された状態を模したものであり、傾斜部４０ｃの陰影模様は、上が暗く、下が明るいグラデーションになっている。つまり、傾斜部４０ｃは、上が黒色で、周方向に徐々に明度が高くなり、下が白色になっている。
【００２５】
表示板４０の環状突出部４０ｅは、内側傾斜部４０ｆ，平面部４０ｇ，外側傾斜部４０ｈを有する断面台形状になっている。環状突出部４０ｅの内側傾斜部４０ｆは、平面部４０ｄから平面部４０ｇまで逆円錐状に広がる形状になっている。環状突出部４０ｅの外側突出部４０ｈは、円錐状になっている。
【００２６】
環状突出部４０ｅの内側傾斜部４０ｆ及び外側傾斜部４０ｈには、意匠層４７にて陰影模様が施されている。内側傾斜部４０ｆの陰影模様と外側傾斜部４０ｈの陰影模様とは、周方向に明度が徐々に変わるグラデーションになっている。環状突出部４０ｅの平面部４０ｇは、周方向で明度の違いが無い一様な灰色になっている。なお、図７は、環状突出部４０ｅの模式図であり、環状突出部４０ｅの幅を拡大して図示している。
【００２７】
内側傾斜部４０ｆの陰影模様と外側傾斜部４０ｈの陰影模様とは、斜め上方から表示板４０に光Ｌが照射された状態を模したものであり、内側傾斜部４０ｆの陰影模様は、上が暗く、下が明るいグラデーションになっており、外側傾斜部４０ｈの陰影模様は、上が明るく、下が暗いグラデーションになっている。つまり、内側傾斜部４０ｆは、上が黒色で、周方向に徐々に明度が高くなり、下が白色になっている。また、外側傾斜部４０ｈは、上が白色で、周方向に徐々に明度が低くなり、下が黒色になっている。
【００２８】
本実施形態によれば、表示板４０の環状突出部２０ｅ及び傾斜部４０ｃに陰影模様を施したことにより、表示板２０に立体感があり、デザイン性に優れた車両用表示装置になる。
【００２９】
なお、本発明は、本実施形態に限定されるものではなく、種々の変形が可能である。例えば、本実施形態では、表示板４０の環状突出部２０ｅ及び傾斜部４０ｃに施した陰影模様が無彩色であったが、有彩色であっても良い。また、図８に示す他の実施形態のように、白色層４５と意匠層４７の間にメタリック層４７を設けたり、基材４４の後面に光拡散層４３を設けても良い。
【符号の説明】
【００３０】
１０    指針
２２    指針駆動部
２４    発光素子
２５    発光素子
４０    表示板
４０ａ  貫通孔
４０ｃ  傾斜部
４０ｅ  環状突出部
４０ｆ  内側傾斜部（傾斜部）
４０ｈ  外側傾斜部（傾斜部）
４１    指標部
４７    意匠層
【図１】
2016200408.tif 000003
【図２】
2016200408.tif 000004
【図３】
2016200408.tif 000005
【図４】
2016200408.tif 000006
【図５】
2016200408.tif 000007
【図６】
2016200408.tif 000008
【図８】
2016200408.tif 000009
【図７】
2016200408.tif 000010